(57)【要約】【課題】マルチＢＳＳまたはシングルＢＳＳの無線環境において、複数の無線端末に対してマルチユーザ伝送を行う無線基地局の分散アンテナと無線端末のスケジューリングと送信電力設定を行う。【解決手段】マルチＢＳＳの無線環境で、複数の無線端末に対してマルチユーザ伝送を行う無線基地局の分散アンテナと無線端末との組合せを選択する分散アンテナを用いた無線基地局において、分散アンテナのそれぞれで各無線端末からの受信電力（ＲＳＳＩ）を測定し、無線端末ごとにＲＳＳＩが大きい順に同程度となる複数のアンテナと複数の無線端末の組合せを選択するスケジューリング手段と、スケジューリング手段で組み合わせた複数のアンテナと複数の無線端末との間でマルチユーザ伝送を行うときに、そのアンテナのＲＳＳＩに応じた最小限の送信電力を設定する送信電力制御手段とを備える。【選択図】  図１
2020031306.tif 000002
【特許請求の範囲】
【請求項１】
複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局において、
前記分散アンテナのそれぞれで各無線端末からの受信電力（ＲＳＳＩ）を測定し、無線端末ごとにＲＳＳＩが大きい順に同程度となる複数のアンテナと複数の無線端末の組合せを選択するスケジューリング手段と、
前記スケジューリング手段で組み合わせた複数のアンテナと複数の無線端末との間でマルチユーザ伝送を行うときに、そのアンテナのＲＳＳＩに応じた最小限の送信電力を設定する送信電力制御手段と
を備えたことを特徴とする分散アンテナを用いた無線基地局。
【請求項２】
単独のＢＳＳであるシングルＢＳＳの無線環境で、複数の無線端末に対してマルチユーザ伝送を行う無線基地局の分散アンテナと無線端末との組合せを選択する分散アンテナを用いた無線基地局において、
前記分散アンテナのそれぞれで各無線端末からの受信電力（ＲＳＳＩ）を測定し、無線端末ごとにＲＳＳＩの大きい順に選択した複数のアンテナからチャネル相関が最小となる複数のアンテナと複数の無線端末の組合せを選択するスケジューリング手段を備えた
ことを特徴とする分散アンテナを用いた無線基地局。
【請求項３】
複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局において、
前記分散アンテナのそれぞれで各無線端末からの受信電力（ＲＳＳＩ）を測定し、無線端末ごとにＲＳＳＩが上位で共通となるアンテナと複数の無線端末の組合せを選択するスケジューリング手段と、
前記スケジューリング手段で組み合わせたアンテナと複数の無線端末との間でマルチユーザ伝送を行うときに、そのアンテナのＲＳＳＩに応じた最小限の送信電力を設定する送信電力制御手段と
を備えたことを特徴とする分散アンテナを用いた無線基地局。
【請求項４】
請求項１〜請求項３のいずれかに記載の分散アンテナを用いた無線基地局において、
前記分散アンテナにおいて各無線端末からの受信電力（ＲＳＳＩ）を測定する代わりに、前記分散アンテナから同一の送信電力で送信したときの各無線端末での受信電力（ＲＳＳＩ）を測定し、前記無線基地局にフィードバックする構成である
ことを特徴とする分散アンテナを用いた無線基地局。
【請求項５】
複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局のスケジューリング方法において、
前記分散アンテナのそれぞれで各無線端末からの受信電力（ＲＳＳＩ）を測定し、無線端末ごとにＲＳＳＩが大きい順に同程度となる複数のアンテナと複数の無線端末の組合せを選択するスケジューリングステップと、
前記スケジューリングステップで組み合わせた複数のアンテナと複数の無線端末との間でマルチユーザ伝送を行うときに、そのアンテナのＲＳＳＩに応じた最小限の送信電力を設定する送信電力制御ステップと
を有することを特徴とする無線基地局のスケジューリング方法。
【請求項６】
単独のＢＳＳであるシングルＢＳＳの無線環境で、複数の無線端末に対してマルチユーザ伝送を行う無線基地局の分散アンテナと無線端末との組合せを選択する分散アンテナを用いた無線基地局のスケジューリング方法において、
前記分散アンテナのそれぞれで各無線端末からの受信電力（ＲＳＳＩ）を測定し、無線端末ごとにＲＳＳＩの大きい順に選択した複数のアンテナからチャネル相関が最小となる複数のアンテナと複数の無線端末の組合せを選択するスケジューリングステップを有する  ことを特徴とする無線基地局のスケジューリング方法。
【請求項７】
複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局のスケジューリング方法において、
前記分散アンテナのそれぞれで各無線端末からの受信電力（ＲＳＳＩ）を測定し、無線端末ごとにＲＳＳＩが上位で共通となるアンテナと複数の無線端末の組合せを選択するスケジューリングステップと、
前記スケジューリングステップで組み合わせたアンテナと複数の無線端末との間でマルチユーザ伝送を行うときに、そのアンテナのＲＳＳＩに応じた最小限の送信電力を設定する送信電力制御ステップと
を有することを特徴とする無線基地局のスケジューリング方法。
【請求項８】
請求項５〜請求項７のいずれかに記載の無線基地局のスケジューリング方法において、  前記分散アンテナにおいて各無線端末からの受信電力（ＲＳＳＩ）を測定する代わりに、前記分散アンテナから同一の送信電力で送信したときの各無線端末での受信電力（ＲＳＳＩ）を測定し、前記無線基地局にフィードバックするステップを有する
ことを特徴とする無線基地局のスケジューリング方法。
【発明の詳細な説明】
【技術分野】
【０００１】
本発明は、分散アンテナを用いた無線基地局と複数の無線端末が通信を行う分散アンテナシステムにおいて、マルチユーザ伝送を行うときに、複数のＢＳＳ（Basic Service Set)が混在する無線環境（以下、マルチＢＳＳという）または単独のＢＳＳによる無線環境（以下、シングルＢＳＳという）に応じて、アンテナと無線端末との組合せをスケジューリングする分散アンテナを用いた無線基地局およびスケジューリング方法に関する。
【０００２】
なお、マルチユーザ伝送としては、複数のアンテナを用いるＭＵ−ＭＩＭＯ（Multi User - Multiple Input Multiple Output)通信、または単独のアンテナを用いるＯＦＤＭＡ(Orthogonal Frequency Division Multiple Access) 通信を想定する。
【背景技術】
【０００３】
分散アンテナシステムでは、無線基地局が複数のアンテナを分散配置することにより、無線基地局のアンテナと無線端末のアンテナとの間の距離を縮め、結果的に各無線通信の受信電力を向上させることが可能になっている。
【０００４】
図５は、分散アンテナシステムのＳＵ（シングルユーザ）伝送例を示す。
図５において、分散アンテナシステムは、分散配置される複数のアンテナを備える無線基地局ＡＰ（Access Point、アクセスポイント）と、複数の無線端末ＳＴＡ（Station ）とにより構成される。ＡＰでは、各アンテナの受信電力を測定することにより、それぞれ近傍に位置するＳＴＡがわかる。
【０００５】
ＡＰから１つのＳＴＡに送信するＳＵ（シングルユーザ）伝送のときは、送信するＳＴＡごとに、ＡＰのアンテナおよび送信電力を個別に設定して送信する。これにより、エリア外への干渉を低減することができる。
【０００６】
また、図６に示すように、送信するＳＴＡごとに、選択したアンテナのＲＳＳＩに応じて送信電力を制御することにより、同様にエリア外への干渉を低減する方法も検討されている。
【０００７】
また、特許文献１および非特許文献１には、分散アンテナシステムにおいて分散配置される各アンテナを複数のアンテナからなるアンテナセットとして構成し、アンテナセットまたはアンテナセットの中のアンテナを適宜選択することにより、ＳＵ−ＭＩＭＯやマルチユーザ（ＭＵ）−ＭＩＭＯに対応する構成がある。ＳＵ−ＭＩＭＯには、例えば１つのアンテナセットを構成する複数のアンテナを用いる。ＭＵ−ＭＩＭＯには、例えば複数のアンテナセットの各１つのアンテナを用いる。さらに、特許文献１には、選択するアンテナごとに送信電力を制御する構成も開示されている。
【先行技術文献】
【特許文献】
【０００８】
【特許文献１】特開２０１７−１４３４６０号公報
【非特許文献】
【０００９】
【非特許文献１】Roh, Wonil, and Arogyaswami Paulraj. "MIMO channel capacity for the distributed antenna." Vehicular Technology Conference, 2002. Proceedings. VTC 2002-Fall. 2002 IEEE 56th. Vol. 2. IEEE, 2002.
【発明の概要】
【発明が解決しようとする課題】
【００１０】
従来の分散アンテナシステムでは、複数のＢＳＳが混在するマルチＢＳＳ、または単独のＢＳＳであるシングルＢＳＳの無線環境において、複数の無線端末に対してマルチユーザ伝送を行う無線基地局の分散アンテナと無線端末との組合せを最適に選択し、スループットを向上させる方法については確立していない。
【００１１】
本発明は、マルチＢＳＳまたはシングルＢＳＳの無線環境において、複数の無線端末に対してマルチユーザ伝送を行う無線基地局の分散アンテナと無線端末のスケジューリングと送信電力設定を行うことができる分散アンテナを用いた無線基地局およびスケジューリング方法を提供することを目的とする。
【課題を解決するための手段】
【００１２】
第１の発明は、複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局において、分散アンテナのそれぞれで各無線端末からの受信電力（ＲＳＳＩ）を測定し、無線端末ごとにＲＳＳＩが大きい順に同程度となる複数のアンテナと複数の無線端末の組合せを選択するスケジューリング手段と、スケジューリング手段で組み合わせた複数のアンテナと複数の無線端末との間でマルチユーザ伝送を行うときに、そのアンテナのＲＳＳＩに応じた最小限の送信電力を設定する送信電力制御手段とを備える。
【００１３】
第２の発明は、単独のＢＳＳであるシングルＢＳＳの無線環境で、複数の無線端末に対してマルチユーザ伝送を行う無線基地局の分散アンテナと無線端末との組合せを選択する分散アンテナを用いた無線基地局において、分散アンテナのそれぞれで各無線端末からの受信電力（ＲＳＳＩ）を測定し、無線端末ごとにＲＳＳＩの大きい順に選択した複数のアンテナからチャネル相関が最小となる複数のアンテナと複数の無線端末の組合せを選択するスケジューリング手段を備える。
【００１４】
第３の発明は、複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局において、分散アンテナのそれぞれで各無線端末からの受信電力（ＲＳＳＩ）を測定し、無線端末ごとにＲＳＳＩが上位で共通となるアンテナと複数の無線端末の組合せを選択するスケジューリング手段と、スケジューリング手段で組み合わせたアンテナと複数の無線端末との間でマルチユーザ伝送を行うときに、そのアンテナのＲＳＳＩに応じた最小限の送信電力を設定する送信電力制御手段とを備える。
【００１５】
第１〜第３の発明の分散アンテナを用いた無線基地局において、分散アンテナにおいて各無線端末からの受信電力（ＲＳＳＩ）を測定する代わりに、分散アンテナから同一の送信電力で送信したときの各無線端末での受信電力（ＲＳＳＩ）を測定し、無線基地局にフィードバックする構成である。
【００１６】
第４の発明は、複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局のスケジューリング方法において、分散アンテナのそれぞれで各無線端末からの受信電力（ＲＳＳＩ）を測定し、無線端末ごとにＲＳＳＩが大きい順に同程度となる複数のアンテナと複数の無線端末の組合せを選択するスケジューリングステップと、スケジューリングステップで組み合わせた複数のアンテナと複数の無線端末との間でマルチユーザ伝送を行うときに、そのアンテナのＲＳＳＩに応じた最小限の送信電力を設定する送信電力制御ステップとを有する。
【００１７】
第５の発明は、単独のＢＳＳであるシングルＢＳＳの無線環境で、複数の無線端末に対してマルチユーザ伝送を行う無線基地局の分散アンテナと無線端末との組合せを選択する分散アンテナを用いた無線基地局のスケジューリング方法において、分散アンテナのそれぞれで各無線端末からの受信電力（ＲＳＳＩ）を測定し、無線端末ごとにＲＳＳＩの大きい順に選択した複数のアンテナからチャネル相関が最小となる複数のアンテナと複数の無線端末の組合せを選択するスケジューリングステップを有する。
【００１８】
第６の発明は、複数のＢＳＳが混在するマルチＢＳＳの無線環境で、複数の無線端末に対してマルチユーザ伝送を行う無線基地局の分散アンテナと無線端末との組合せを選択する分散アンテナを用いた無線基地局のスケジューリング方法において、分散アンテナのそれぞれで各無線端末からの受信電力（ＲＳＳＩ）を測定し、無線端末ごとにＲＳＳＩが上位で共通となるアンテナと複数の無線端末の組合せを選択するスケジューリングステップと、スケジューリングステップで組み合わせたアンテナと複数の無線端末との間でマルチユーザ伝送を行うときに、そのアンテナのＲＳＳＩに応じた最小限の送信電力を設定する送信電力制御ステップとを有する。
【００１９】
第４〜第６の発明の無線基地局のスケジューリング方法において、分散アンテナにおいて各無線端末からの受信電力（ＲＳＳＩ）を測定する代わりに、分散アンテナから同一の送信電力で送信したときの各無線端末での受信電力（ＲＳＳＩ）を測定し、無線基地局にフィードバックするステップを有する。
【発明の効果】
【００２０】
本発明は、複数のＢＳＳが混在するマルチＢＳＳ、または単独のＢＳＳであるシングルＢＳＳの無線環境において、複数の無線端末に対してマルチユーザ伝送を行う無線基地局の分散アンテナと無線端末との組合せと送信電力を最適に選択し、スループットを向上させることができる。
【図面の簡単な説明】
【００２１】
【図１】本発明の無線基地局におけるスケジューリング処理例を示すフローチャートである。
【図２】マルチＢＳＳ環境・ＭＵ−ＭＩＭＯ伝送におけるスケジューリング例を示す図である。
【図３】シングルＢＳＳ環境・ＭＵ−ＭＩＭＯ伝送におけるスケジューリング例を示す図である。
【図４】マルチＢＳＳ環境・ＯＦＤＭＡ伝送におけるスケジューリング例を示す図である。
【図５】分散アンテナシステムのＳＵ伝送例を示す図である。
【図６】分散アンテナシステムのＳＵ伝送・送信電力制御例を示す図である。
【発明を実施するための形態】
【００２２】
図１は、本発明の無線基地局におけるスケジューリング処理例を示す。
本スケジューリング処理では、複数のＢＳＳが混在するマルチＢＳＳ、または単独のＢＳＳであるシングルＢＳＳの無線環境において、複数の無線端末に対してマルチユーザ伝送を行う無線基地局の分散アンテナと無線端末との組合せを最適選択する。
【００２３】
無線基地局は、分散配置される複数のアンテナｉ（ｉは１〜ＭＮ）を備える。Ｍは１アンテナセットにおけるアンテナ数であり、Ｎはアンテナセット数であり、ＭＮは全アンテナ数である。アンテナセットは、Ｍ個のアンテナが例えば半波長程度離れて配置されるが、Ｍ＝１の場合はアンテナセット＝アンテナとなる。無線基地局の周辺には複数の無線端末ｕが存在する。
【００２４】
図１において、無線基地局は、無線端末ｕ’と接続すると（Ｓ１）、１≦ｕ≦ｕ' の全ての無線端末ｕに対して、全アンテナ１〜ＭＮにおける受信電力（ＲＳＳＩ）Ｐu,1 〜Ｐu,m 〜Ｐu,MNを測定する（Ｓ２）。次に、マルチＢＳＳまたはシングルＢＳＳの無線環境に応じて、複数の無線端末に対してマルチユーザ伝送を行う無線基地局のアンテナと無線端末とを組合せるスケジューリングを行う（Ｓ３）。なお、無線端末１〜ｕ’のそれぞれについてＲＳＳＩの測定を並列に行う場合には、スケジューリング処理を同期させる必要がある。
【００２５】
ここで、マルチＢＳＳの無線環境では、無線端末ごとにＲＳＳＩが大きい順に同程度となるアンテナと無線端末の組合せを選択する。シングルＢＳＳの無線環境では、無線端末ごとにＲＳＳＩが大きい順にアンテナを選択し、さらにチャネル相関が最小となるアンテナと無線端末の組合せを選択する。このスケジューリングの詳細については、マルチＢＳＳにおけるＭＵ−ＭＩＭＯのスケジューリング例を示す図２、シングルＢＳＳにおけるＭＵ−ＭＩＭＯのスケジューリング例を示す図３、マルチＢＳＳにおけるＯＦＤＭＡのスケジューリング例を示す図４を参照して別途説明する。なお、無線基地局と無線端末が見通し内であれば、ＲＳＳＩの大きい順は、アンテナと無線端末との距離が近い順になり、無線端末に近い順にアンテナが選択されることになる。
【００２６】
次に、マルチＢＳＳの場合には（Ｓ４：Yes ）、スケジューリングしたアンテナのＲＳＳＩに応じた最小限の送信電力を設定する（Ｓ５）。これにより、そのアンテナから抑制された送信電力で送信したときに他ＢＳＳへの干渉が最も小さくなる。また、シングルＢＳＳの場合には、当該送信電力設定は不要である。
【００２７】
次に、スケジューリングされたアンテナｉにおける全無線端末ｕ（１≦ｕ≦ｕ' ）からの受信電力Ｐu,i を所定時間ごとに測定し（Ｓ６）、受信電力Ｐu,i の変化量が閾値Ｐthを越えるか否かを判定し（Ｓ７）、閾値Ｐthを越える変化があった場合には、ステップＳ２に戻ってスケジューリングと送信電力の設定をやり直す。また、新たな無線端末ｕ’が接続された場合にも、ステップＳ１からステップＳ２以降を実施し、スケジューリングと送信電力の設定をやり直す。
【００２８】
なお、全アンテナにおいて各無線端末からの受信電力（ＲＳＳＩ）を測定する代わりに、全アンテナから同一の送信電力で送信したときの各無線端末での受信電力（ＲＳＳＩ）を測定し、無線基地局にフィードバックする構成としてもよい。
【００２９】
以下、図１のステップＳ３のマルチユーザ伝送を行う無線基地局のアンテナと無線端末とを組合せるスケジューリングについて具体的に説明する。ただし、以下に示すアンテナと無線端末の組合せは一例であり、それに限定されるものではない。
【００３０】
マルチユーザ伝送は２ユーザ（２多重）とし、３ユーザ以上に対しては時分割（ＴＤＭ）で行うものとし、ここでは無線基地局ＡＰに近い４個の無線端末ＳＴＡ１〜ＳＴＡ４に対して、２個のＳＴＡずつ時分割でＭＵ−ＭＩＭＯ伝送またはＯＦＤＭＡ伝送を行う例を示す。ＡＰは、分散配置される４個のアンテナ１〜４、または４個のアンテナセット１０〜４０を備える。アンテナセット１０は、２個のアンテナ１１，１２を備える。アンテナセット２０〜４０も同様である。
【００３１】
図２は、マルチＢＳＳ環境・ＭＵ−ＭＩＭＯ伝送におけるスケジューリング例を示す。  図２(1) において、ＡＰは、アンテナ１〜４でＳＴＡ＃１〜＃４からのＲＳＳＩを測定し、ＳＴＡごとにＲＳＳＩが大きい順に同程度となる２つのアンテナの組合せを選択する。ここでは、ＳＴＡ＃１，＃２に対して、ＲＳＳＩが大きい順に同程度となるアンテナ１，２の組合せを選択する。
【００３２】
ＡＰは、アンテナ制御部１００を介してアンテナ１，２に接続し、ＳＴＡ＃１，＃２に対してＭＵ−ＭＩＭＯ伝送を行う。このとき、アンテナ制御部１００は、アンテナ１，２のＲＳＳＩに応じた最小限の送信電力を設定することにより送信電力を抑制するので、他ＢＳＳへの干渉が小さくなる。次のタイミングでも同様に、ＳＴＡ＃３，＃４に対して、ＲＳＳＩが大きい順に同程度となるアンテナ３，４の組合せでＭＵ−ＭＩＭＯ伝送を行う。
【００３３】
図２(2) において、ＡＰは、アンテナセット１０〜４０の各２本のアンテナで、ＳＴＡ＃１〜＃４からのＲＳＳＩを測定し、ＳＴＡごとにＲＳＳＩが最大となるアンテナセットを選択する。ここでは、ＳＴＡ＃１，＃２に対して、ＲＳＳＩが最大となるアンテナセット１０を選択する。なお、アンテナセット１０のアンテナ１１，１２におけるＳＴＡ＃１，＃２からのＲＳＳＩは同程度である。
【００３４】
ＡＰは、アンテナ制御部１００を介してアンテナセット１０のアンテナ１１，１２に接続し、ＳＴＡ＃１，＃２に対してＭＵ−ＭＩＭＯ伝送を行う。このとき、アンテナ制御部１００は、アンテナ１１，１２のＲＳＳＩに応じた最小限の送信電力を設定することにより送信電力を抑制するので、他ＢＳＳへの干渉が小さくなる。次のタイミングでも同様に、ＳＴＡ＃３，＃４に対して、ＲＳＳＩが最大となるアンテナセット４０のアンテナ４１，４２の組合せでＭＵ−ＭＩＭＯ伝送を行う。
【００３５】
このように、マルチＢＳＳ環境では、ＭＵ−ＭＩＭＯ伝送するＳＴＡの近傍にあり、かつＲＳＳＩが同程度となるアンテナから、そのアンテナのＲＳＳＩに応じた最小限の送信電力で送信することにより、他ＢＳＳへの干渉を最小限に抑えることができ、システム全体のスループットの改善を図ることができる。
【００３６】
図３は、シングルＢＳＳ環境・ＭＵ−ＭＩＭＯ伝送におけるスケジューリング例を示す。
図３(1) において、ＡＰは、アンテナ１〜４でＳＴＡ＃１〜＃４からのＲＳＳＩを測定し、ＳＴＡごとにＲＳＳＩの大きい順に選択した複数のアンテナからチャネル相関が最小となるアンテナとＳＴＡの組合せを選択する。ここでは、ＳＴＡ＃１〜＃４に対して、それぞれＲＳＳＩが大きい順にアンテナを選択し、さらにチャネル相関が最小となるアンテナ１，３とＳＴＡ＃１，＃３の組合せを選択する。
【００３７】
ＡＰは、アンテナ制御部１００を介してアンテナ１，３に接続し、ＳＴＡ＃１，＃３に対してＭＵ−ＭＩＭＯ伝送を行う。このとき、他ＢＳＳが存在しないので、アンテナ制御部１００は他ＢＳＳへの干渉を考慮した送信電力制御は不要である。次のタイミングでも同様に、アンテナ２，４とＳＴＡ＃２，＃４の組合せを選択してＭＵ−ＭＩＭＯ伝送を行う。
【００３８】
図３(2) において、ＡＰは、アンテナセット１０〜４０の各２本のアンテナで、ＳＴＡ＃１〜＃４からのＲＳＳＩを測定し、ＳＴＡごとにＲＳＳＩの大きい順に選択したＮセットのアンテナからチャネル相関が最小となるアンテナセットとＳＴＡの組合せを選択する。ここでは、ＳＴＡ＃１〜＃４に対して、それぞれＲＳＳＩが大きい順にアンテナセットを選択し、さらにチャネル相関が最小となるアンテナセット１０のアンテナ１１およびアンテナセット３０のアンテナ３２と、ＳＴＡ＃１，＃３の組合せを選択する。
【００３９】
ＡＰは、アンテナ制御部１００を介してアンテナセット１０のアンテナ１１およびアンテナセット３０のアンテナ３２に接続し、ＳＴＡ＃１，＃３に対してＭＵ−ＭＩＭＯ伝送を行う。このとき、他ＢＳＳが存在しないので、アンテナ制御部１００は他ＢＳＳへの干渉を考慮した送信電力制御は不要である。次のタイミングでも同様に、アンテナセット２０のアンテナ２１およびアンテナセット４０のアンテナ４２と、ＳＴＡ＃２，＃４の組合せを選択してＭＵ−ＭＩＭＯ伝送を行う。
【００４０】
図４は、マルチＢＳＳ環境・ＯＦＤＭＡ伝送におけるスケジューリング例を示す。
図４において、ＡＰは、アンテナ１〜４でＳＴＡ＃１〜＃４からのＲＳＳＩを測定し、ＳＴＡごとにＲＳＳＩが大きい順にアンテナを選択する。ここでは、ＳＴＡ＃１，＃２に対して、ＲＳＳＩが上位で共通となるアンテナ１を選択する。
【００４１】
ＡＰは、アンテナ制御部１００を介してアンテナ１に接続し、ＳＴＡ＃１，＃２に対してＯＦＤＭＡ伝送を行う。このとき、アンテナ制御部１００は、アンテナ１のＲＳＳＩに応じた最小限の送信電力を設定することにより送信電力を抑制するので、他ＢＳＳへの干渉が小さくなる。次のタイミングでも同様に、ＳＴＡ＃３，＃４に対して、ＲＳＳＩが上位で共通となるアンテナ４でＯＦＤＭＡ伝送を行う。
【００４２】
なお、上記説明では、マルチユーザ伝送は２ユーザ（２多重）としたが、３ユーザ以上に対しても同様にマルチユーザ伝送することも可能である。
また、上記説明では、分散アンテナシステムの構成をもとに説明しているが、分散アンテナに限らず、たとえば、分散アンテナの代わりに指向性方向が異なる複数の指向性アンテナによるシステムにおいて実施してもよい。
【００４３】
また、上記説明では、無線端末のスケジューリング手段を無線ＬＡＮチップに実装することを想定して説明したが、たとえば、ＶＡＰ（Ｖｉｒｔｕａｌ  ＡＰ）機能により、同じ組み合わせごとに固有のＢＳＳＩＤ（Basic Service Set Identifier）に接続させることでスケジューリングを実現させてもよい。
【符号の説明】
【００４４】
ＡＰ  無線基地局
ＳＴＡ  無線端末
１，２，３，４，１１，１２，２１，２２，３１，３２，４１，４２  アンテナ
１０，２０，３０，４０  アンテナセット
１００  アンテナ制御部
【図１】
2020031306.tif 000003
【図２】
2020031306.tif 000004
【図３】
2020031306.tif 000005
【図４】
2020031306.tif 000006
【図５】
2020031306.tif 000007
【図６】
2020031306.tif 000008